(57)【要約】【課題】接点入力送信器を警戒操作発信器と間違って登録することを防止することができる。【解決手段】接点出力受信器４は、セキュリティインターホン１と接続し、防犯端子と接続する接点出力部４９０と、セキュリティインターホン１の防犯機能のセットを行う情報を含む警戒無線信号を送信する警戒操作発信器２のＩＤが予め記憶されている記憶装置と、警戒操作発信器２、又は窓の状態を検知する情報を含む無線信号を送信する接点入力送信器３のいずれかの送信器からの無線信号に含まれている送信器ＩＤが記憶装置に記憶されているＩＤと一致するか否かの比較を行う比較手段と、比較結果が一致する場合に、送信器を警戒操作発信器２として登録する処理、又は、送信器を警戒操作発信器２として登録することを禁止する処理のいずれかを選択して行う登録手段とを備える。【選択図】図１
2006031555.tif 000002
【特許請求の範囲】
【請求項１】
防犯端子に入力された接点出力信号に基づいて検知対象物の状態を検知する防犯機器と接続し、
前記防犯端子と接続する接点出力部と、
前記防犯機器の防犯機能のセットを行う情報を含む警戒無線信号を送信する警戒操作発信器のＩＤが予め記憶されている記憶部と、
前記警戒操作発信器、又は前記検知対象物の状態を検知する情報を含む無線信号を送信する検知情報送信器のいずれかの送信器からの無線信号に含まれている送信器ＩＤが前記記憶部に記憶されているＩＤと一致するか否かの比較を行う比較手段と、
前記比較結果が一致する場合に、前記送信器を前記警戒操作発信器として登録する処理、又は、前記送信器を前記警戒操作発信器として登録することを禁止する処理のいずれかを選択して行う登録手段と
を備えることを特徴とする接点出力受信器。
【請求項２】
セット・解除端子に入力された接点出力信号に基づいて前記防犯機能のセット又は解除を行い、その防犯機能のセットがされているときに、前記防犯端子に入力された接点出力信号に基づいて前記検知対象物の状態を検知する防犯機器と接続し、
前記防犯端子又は前記セット・解除端子と接続する複数の接点出力部を備え、
前記登録手段は、前記セット・解除端子と接続する接点出力部に対して、前記比較結果が一致する場合に前記送信器を前記警戒操作発信器として登録し、前記比較結果が一致しない場合に前記送信器の登録を禁止する処理のいずれかを選択して行うことを特徴とする請求項１記載の接点出力受信器。
【請求項３】
前記セット・解除端子と接続する接点出力部に対して、前記登録手段により前記警戒操作発信器が登録されている場合に、前記警戒操作発信器からの警戒無線信号に基づく接点出力信号の出力を許諾し、前記検知情報送信器からの無線信号に基づく接点出力信号の出力を禁止する出力手段を備えることを特徴とする請求項２記載の接点出力受信器。
【請求項４】
前記出力手段は、前記セット・解除端子と接続する接点出力部から出力される接点出力信号の信号形式を、ワンショット出力信号形式又はラッチ出力信号形式のいずれかを選択し出力することを特徴とする請求項２又は３記載の接点出力受信器。
【請求項５】
前記登録手段は、前記防犯端子と接続する接点出力部に対して、前記比較結果が一致する場合に前記送信器を前記警戒操作発信器として登録し、前記比較結果が一致しない場合に前記送信器を前記検知情報送信器として登録する処理を行うとともに、
前記登録手段により、前記警戒操作発信器が前記防犯端子と接続する接点出力部に登録されている場合に、前記防犯機能のセットを行う情報を含む警戒無線信号を受信すると、前記無線信号に基づく接点出力信号を出力し、前記防犯機能の解除を行う情報を含む警戒無線信号を受信すると、前記無線信号に基づく接点出力信号の出力を禁止する出力手段を備えることを特徴とする請求項１記載の接点出力受信器。
【請求項６】
前記防犯端子と接続する接点出力部を複数備え、
前記登録手段は、前記防犯端子と接続する接点出力部毎に、前記比較結果が一致する場合に前記送信器を前記警戒操作発信器として登録し、前記比較結果が一致しない場合に前記送信器を前記検知情報送信器として登録する処理を行うことを特徴とする請求項１〜５のいずれか記載の接点出力受信器。
【請求項７】
前記防犯機能のセット又は解除の設定状態を報知する報知手段を備えることを特徴とする請求項１〜６のいずれか記載の接点出力受信器。
【発明の詳細な説明】
【技術分野】
【０００１】
本発明は、例えば、防犯機器と接続して用いられる接点出力受信器に関するものである。
【背景技術】
【０００２】
従来、この種の接点出力受信器は、遠隔制御を行う機器を接続し、接点入力送信器（ペンダント発信器を含む）から無線信号（無線電波）を受信し、その受信した無線信号に含まれている情報に基づく接点出力信号を上記接続された機器に出力する。
【０００３】
上記のような接点出力受信器を用いたシステムとして、例えば、図１７に示すような防犯システムがある。この防犯システムは、接点出力受信器８０にセキュリティインターホン（防犯機器）１を接続し、接点入力送信器８２からの無線信号に基づいて、セキュリティインターホン１の防犯機能のセット及び解除を制御し、窓５の開閉制御に関する信号が入力される接点入力送信器８１からの無線信号に基づいて、セキュリティインターホン１の防犯機能のセット及び解除を制御するシステムである。接点入力送信器８２は、押釦スイッチ８３と接続している。なお、押釦スイッチ８３は、例えばラッチ出力を行う出力ラッチ型押釦スイッチである。
【０００４】
次に、上記防犯システムの動作について説明する。先ず、接点入力送信器８２は、図１８に示すように、押釦スイッチ８３から信号を入力し、その信号がオンになったときに、ワンショット（パルス状）の無線信号を接点出力受信器８０に送信する（ｔ１）。接点出力受信器８０は、上記無線信号を受信し、接点信号をオンにしてセキュリティインターホン１に出力する。これにより、セキュリティインターホン１は防犯機能をセットし、警戒状態になる（ｔ２）。これに対して、接点入力送信器８２に入力される信号がオフになったときに、接点入力送信器８２は、ワンショットの無線信号を接点出力受信器８０に送信する（ｔ３）。接点出力受信器８０は、上記無線信号を受信し、接点信号をオフにする。これにより、セキュリティインターホン１は防犯機能を解除し、非警戒状態になる（ｔ４）。
【０００５】
接点入力送信器８１は、窓５に取り付けられているマグネットスイッチ５０から信号を入力する。なお、上記信号は、窓５が開いているときにオン信号となり、窓５が閉じているときにオフ信号となる。接点入力送信器８１は、上記信号を入力し、その信号に連動し、その信号がオン信号になったときに、オン情報を付加した無線信号を送信する。接点出力受信器８０は、上記オン情報の無線信号を受信し、オン制御を行う接点信号をセキュリティインターホン１に出力する。これにより、セキュリティインターホン１は監視を開始する。これに対して、接点入力送信器８１に入力される信号がオフ信号になったときに、接点入力送信器８１は、オフ情報を付加した無線信号を送信する。接点出力受信器８０は、オフ制御を行う接点信号をセキュリティインターホン１に出力する。これにより、セキュリティインターホン１は監視を終了する。なお、接点入力送信器８１に代わって、ペンダント発信器（図示せず）を用いた場合では、ペンダント発信器の押釦を押すことにより、接点出力受信器８０に無線信号を送信し、接点出力受信器８０は、上記無線信号に基づいて、例えばワンショット（パルス状）の接点信号をセキュリティインターホン１に出力する。
【０００６】
次に、上記のような接点入力送信器８１，８２を、接点出力受信器８０の各接点出力部８４，８５に登録する方法について説明する。先ず、接点出力受信器８０の電源スイッチ（図示せず）をオンにして、通常モードにする。登録釦（図示せず）を押して登録モードに切り替える。最初に、接点出力部８４に登録するものとして、接点入力送信器８１を動作させて接点出力発信器８０に信号を送信し、登録釦を押すことにより、接点入力送信器８１を接点出力部８４に登録する。次に、接点出力部８５に登録するものとして、接点入力送信器８２を動作させて接点出力発信器８０に信号を送信し、登録釦を押すことにより、接点入力送信器８２を接点出力部８５に登録する。このようにして、接点出力部８４に接点入力送信器８１を登録し、接点出力部８５に接点入力送信器８２を登録する。
【０００７】
なお、特許文献１には、ワイヤレス送信器からのワイヤレス信号を受信したとき以外に、スイッチを操作しても、接点信号の出力を行うことができ、操作者が、近くにいるときには、ワイヤレス送信器を操作しなくても、直接、接点信号を出力して、接続した機器を動作させる接点出力型ワイヤレス受信器が開示されている。
【特許文献１】特開２０００−１８７７８９号公報（第１頁−第４頁、及び、第２図）
【発明の開示】
【発明が解決しようとする課題】
【０００８】
しかしながら、上記従来の接点出力受信器などは、各接点入力送信器からの無線信号を区別することができないので、接点入力送信器を間違って他の接点出力部に登録した場合に、防犯機器を誤動作させてしまうという問題があった。例えば、図１７において、窓５の開閉制御用の接点入力送信器８１からの無線信号によって、防犯機器（セキュリティインターホン）１の防犯機能のセット及び解除を行ってしまうという問題が発生した。
【０００９】
本発明は上記の点に鑑みて為されたものであり、その目的とするところは、接点入力送信器を警戒操作発信器と間違って登録することを防止することができる接点出力受信器を提供することにある。
【課題を解決するための手段】
【００１０】
請求項１に記載の発明は、防犯端子に入力された接点出力信号に基づいて検知対象物の状態を検知する防犯機器と接続し、前記防犯端子と接続する接点出力部と、前記防犯機器の防犯機能のセットを行う情報を含む警戒無線信号を送信する警戒操作発信器のＩＤが予め記憶されている記憶部と、前記警戒操作発信器、又は前記検知対象物の状態を検知する情報を含む無線信号を送信する検知情報送信器のいずれかの送信器からの無線信号に含まれている送信器ＩＤが前記記憶部に記憶されているＩＤと一致するか否かの比較を行う比較手段と、前記比較結果が一致する場合に、前記送信器を前記警戒操作発信器として登録する処理、又は、前記送信器を前記警戒操作発信器として登録することを禁止する処理のいずれかを選択して行う登録手段とを備えることを特徴とする。
【００１１】
この構成では、検知情報送信器を警戒操作発信器と間違って登録することを防止することができる。
【００１２】
請求項２に記載の発明は、請求項１に記載の発明において、セット・解除端子に入力された接点出力信号に基づいて前記防犯機能のセット又は解除を行い、その防犯機能のセットがされているときに、前記防犯端子に入力された接点出力信号に基づいて前記検知対象物の状態を検知する防犯機器と接続し、前記防犯端子又は前記セット・解除端子と接続する複数の接点出力部を備え、前記登録手段は、前記セット・解除端子と接続する接点出力部に対して、前記比較結果が一致する場合に前記送信器を前記警戒操作発信器として登録し、前記比較結果が一致しない場合に前記送信器の登録を禁止する処理のいずれかを選択して行うことを特徴とする。この構成では、セット・解除端子と接続する接点出力部に対して、警戒操作発信器のみを登録することができる。
【００１３】
請求項３に記載の発明は、請求項２に記載の発明において、前記セット・解除端子と接続する接点出力部に対して、前記登録手段により前記警戒操作発信器が登録されている場合に、前記警戒操作発信器からの警戒無線信号に基づく接点出力信号の出力を許諾し、前記検知情報送信器からの無線信号に基づく接点出力信号の出力を禁止する出力手段を備えることを特徴とする。この構成では、警戒操作発信器からの警戒無線信号に基づく接点出力信号のみ出力することができるので、検知情報送信器を警戒操作発信器と間違って登録することを防止することができる。
【００１４】
請求項４に記載の発明は、請求項２又は３に記載の発明において、前記出力手段は、前記セット・解除端子と接続する接点出力部から出力される接点出力信号の信号形式を、ワンショット出力信号形式又はラッチ出力信号形式のいずれかを選択し出力することを特徴とする。この構成では、接続している防犯機器として、防犯セット専用の機器、又は防犯セット・解除の制御可能の機器のいずれかを選択することができる。
【００１５】
請求項５に記載の発明は、請求項１に記載の発明において、前記登録手段は、前記防犯端子と接続する接点出力部に対して、前記比較結果が一致する場合に前記送信器を前記警戒操作発信器として登録し、前記比較結果が一致しない場合に前記送信器を前記検知情報送信器として登録する処理を行うとともに、前記登録手段により、前記警戒操作発信器が前記防犯端子と接続する接点出力部に登録されている場合に、前記防犯機能のセットを行う情報を含む警戒無線信号を受信すると、前記無線信号に基づく接点出力信号を出力し、前記防犯機能の解除を行う情報を含む警戒無線信号を受信すると、前記無線信号に基づく接点出力信号の出力を禁止する出力手段を備えることを特徴とする。この構成では、防犯機器にセット・解除端子がない場合であっても、防犯機能のセット又は解除を行うことができる。
【００１６】
請求項６に記載の発明は、請求項１〜５のいずれかに記載の発明において、前記防犯端子と接続する接点出力部を複数備え、前記登録手段は、前記防犯端子と接続する接点出力部毎に、前記比較結果が一致する場合に前記送信器を前記警戒操作発信器として登録し、前記比較結果が一致しない場合に前記送信器を前記検知情報送信器として登録する処理を行うことを特徴とする。この構成では、防犯端子と接続する接点出力部に接続する防犯機器毎に対して、防犯機能のセット又は解除を行うことができる。
【００１７】
請求項７に記載の発明は、請求項１〜６のいずれかに記載の発明において、前記防犯機能のセット又は解除の設定状態を報知する報知手段を備えることを特徴とする。この構成では、防犯機器に対する防犯機能のセット又は解除の設定状態を容易に知ることができる。
【発明の効果】
【００１８】
本発明によれば、接点入力送信器を警戒操作発信器と間違って登録することを防止することができる。
【発明を実施するための最良の形態】
【００１９】
（実施形態１）
先ず、実施形態１の基本的な構成について図１〜５を用いて説明する。実施形態１の防犯システムは、セキュリティインターホンを遠隔操作するものであり、図１に示すように、セキュリティインターホン１、警戒操作発信器２、接点入力送信器３、接点出力受信器４を備える。
【００２０】
セキュリティインターホン１は、防犯端子１０及びセット・解除端子１１により接点出力受信器４と接続し、セット・解除端子１１に入力された接点出力信号に基づいて防犯機能のセット又は解除を行い、その防犯機能のセットがされているときに、防犯端子１０に入力された接点出力信号に基づいて、検知対象物である窓の開閉状態を検知する防犯機器である。
【００２１】
警戒操作発信器２は、図２に示すように、制御部２０、電源２１、押釦スイッチ２２、周波数設定スイッチ２３、記憶装置２４、ＬＥＤ表示部２５、無線制御部２６、アンテナ２７を備え、図３に示すような、発信器ＩＤ（Ｉｄｅｎｔｉｆｉｃａｔｉｏｎ）と発信器種別コードからなる送信データと、セキュリティインターホンの防犯機能のセット又は解除を行う情報とを含む警戒無線信号を接点出力受信器４に送信する。
【００２２】
制御部２０は、ＣＰＵなどで構成され、例えば電池、商用電源などの電源２１と接続し、上記電源２１から電力を受け取っている。なお、電源２１は、電池の場合、警戒操作発信器２に内蔵されている。また、制御部２０は、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などから構成される記憶装置２４と接続している。記憶装置２４には、自己の警戒操作発信器２のＩＤ、自己の警戒操作発信器２の発信器種別コードが予め記憶されている。
【００２３】
制御部２０は、無線制御部２６及び周波数設定スイッチ２３と接続している。無線制御部２６は、制御部２０からの信号を無線信号に変調し、その無線信号をアンテナ２７を介して接点出力受信器４に出力する。ここで、周波数設定スイッチ２３は、上記無線信号の周波数を切替設定するものである。
【００２４】
また、制御部２０は、押釦スイッチ２２及びＬＥＤ表示部２５と接続している。押釦スイッチ２２は、セット釦２２０、解除釦２２１から構成される。セット釦２２０は、セキュリティインターホン１の防犯機能をセットするときに、ユーザが押操作するものである。解除釦２２１は、上記防犯機能を解除するときに、ユーザが押操作するものである。
【００２５】
接点入力送信器３は、警戒操作発信器２と同様に、制御部２０、周波数設定スイッチ２２、無線制御部２３、記憶装置２４、ＬＥＤ表示部２５、アンテナ２６、電源２７を備え、警戒操作発信器２と異なる点として、押釦スイッチ２１に代わって、窓５に取り付けられているマグネットスイッチ５０から信号を入力する入力端子（図示せず）を備えている。接点入力送信器３は、窓の開閉状態を検知する情報を含む無線信号を送信する検知情報送信器である。
【００２６】
接点出力受信器４は、図４に示すように、制御部４０、ＡＣ／ＤＣ変換部４１、無線制御部４２、アンテナ４３、周波数設定スイッチ４４、設定スイッチ４５、登録釦４６、登録消去釦４６ａ、記憶装置（記憶部）４７、ブザー鳴動部４８０、鳴動音停止スイッチ４８０ａ、ＬＥＤ表示部４８１、複数の接点出力部４９０〜４９３を備え、セキュリティインターホン１と接続している。
【００２７】
制御部４０は、ＣＰＵなどで構成され、ＡＣ／ＤＣ変換部４１と接続し、上記ＡＣ／ＤＣ変換部４１において、ＡＣ電源４１０から供給される交流電力から変換された直流電力を受け取っている。停電などが発生し、ＡＣ電源４１０から交流電力が供給されない場合には、ＤＣ電源４１１から直流電力が供給される。また、制御部４０は、例えばＥＥＰＲＯＭなどから構成される記憶装置４７と接続している。記憶装置４７には、自己の接点出力受信器４のＩＤ、警戒操作発信器となる発信器のＩＤが予め記憶されているとともに、警戒操作発信器２及び接点入力送信器３の登録時に、それぞれのＩＤが記憶される。
【００２８】
制御部４０は、接点出力部４９０〜４９３と接続している。接点出力部４９０〜４９３は、それぞれ登録されている警戒操作発信器及び接点入力送信器からの無線信号に基づいて接点出力するものである。実施形態１では、接点出力部４９０を防犯端子１０と接続する接点出力部とし、接点出力部４９１をセット・解除端子１１と接続する接点出力部としている。
【００２９】
制御部４０は、無線制御部４２及び周波数設定スイッチ４４と接続している。無線制御部４２は、警戒操作発信器２及び接点出力受信器３からの無線信号をアンテナ４３を介して受信し、その無線信号を復調する。ここで、周波数設定スイッチ４４は、上記無線信号の周波数に対応するように切替設定するものである。
【００３０】
制御部４０は、警戒操作発信器２、接点入力送信器３のいずれかの送信器からの無線信号に含まれている送信器ＩＤが記憶装置４７に記憶されているＩＤと一致するか否かの比較を行う比較手段を有する。
【００３１】
制御部４０は、接点出力部４９０に対して、上記比較結果が一致する場合に、上記送信器の登録を禁止し、上記比較結果が一致しない場合に、上記送信器を接点入力送信器３として登録する処理を実行する。また、制御部４０は、オンオフの切替制御を可能とする設定スイッチ４５と接続し、接点出力部４９１に対して、設定スイッチ４５がオフであるとき、上記比較結果が一致する場合に、上記送信器の登録を禁止し、上記比較結果が一致しない場合に、上記送信器を接点入力送信器３として登録する処理を実行する。これに対して、設定スイッチ４５がオンであるとき、上記比較結果が一致する場合に、上記送信器を警戒操作発信器２として登録し、上記比較結果が一致しない場合に、上記送信器の登録を禁止する処理を実行する。
【００３２】
また、制御部４０は、登録釦４６、登録消去釦４６ａ、ブザー鳴動部４８０、鳴動音停止スイッチ４８０ａ、ＬＥＤ表示部４８１と接続している。登録釦４６は、警戒操作発信器２及び接点入力送信器３の登録を確定するときに、ユーザが操作するものである。登録消去釦４６１は、警戒操作発信器２及び接点入力送信器３の登録を全て消去するときに、ユーザが操作するものである。なお、消去方法は、全て消去する方法に限定されるものではなく、個別に消去する方法であってもよく、用途に応じて適宜選択することができる。
【００３３】
ブザー鳴動部４８０は、不具合が発生した場合に、ブザー音が鳴り、それによりユーザに上記不具合の発生を知らせるものである。鳴動音停止スイッチ４８０ａは、上記不具合の発生をユーザが気づき、そのブザー音を止めるときに操作されるものである。ＬＥＤ表示部４８１は、各接点出力部の接点出力信号を送信中に点灯する動作表示灯、電力が供給されているときに点灯する電源表示灯、警戒操作発信器２及び接点入力送信器３からの無線信号を受信したときに点灯する受信モニター灯、警戒操作発信器２若しくは接点入力送信器３のいずれかにおいて電池切れが近いときに点灯する発信器電池交換表示灯などで構成され、ユーザが容易に見ることができる位置に備えられている。
【００３４】
次に、接点出力受信器４において、警戒操作発信器２及び接点入力送信器３の登録について図５を用いて説明する。先ず、接点出力受信器４（図１参照）の電源スイッチ（図示せず）をオンにして、通常モードにする（Ｓ１）。登録釦４６（図１参照）を押して登録モードに切り替える（Ｓ２，Ｓ３）。設定スイッチ４５（図１参照）をオンに切り替え（Ｓ４）、警戒操作発信器２のみ登録可能モードにする（Ｓ５）。接点出力部４６１に警戒操作発信器として登録しようとする発信器を動作させて接点出力受信器４に無線信号を送信する（Ｓ６）。接点出力受信器４は、上記無線信号に含まれている発信器種別コードが警戒操作発信器であるか否かを比較する（Ｓ７）。上記比較結果が一致する場合、警戒操作発信器として発信器のＩＤを記憶する（Ｓ８）。そして、登録釦４６を押すと（Ｓ９）、警戒操作発信器として登録され、通常モードに切り換わる（Ｓ１５）。次に、登録釦４６を押して登録モードに切り替える（Ｓ２，Ｓ３）。設定スイッチ４５をオフに切り替え（Ｓ４）、警戒操作発信器２登録不可モードにする（Ｓ１０）。接点出力部４６０に接点入力送信器として登録しようとする発信器を動作させて接点出力受信器４に無線信号を送信する（Ｓ１１）。接点出力受信器４は、上記無線信号に含まれている発信器種別コードが警戒操作発信器であるか否かを比較する（Ｓ１２）。上記比較結果が一致しない場合、接点入力送信器として発信器のＩＤを記憶する（Ｓ１３）。そして、登録釦４６を押すと（Ｓ１４）、接点入力送信器として登録され、通常モードに切り替える（Ｓ１５）。
【００３５】
以上、実施形態１によれば、接点出力部４９１に対して、警戒操作発信器２のみを登録することができ、接点入力送信器３を警戒操作発信器２と間違って登録することを防止することができる。
【００３６】
（実施形態２）
実施形態２は、セキュリティインターホン１、警戒操作発信器２、接点入力送信器３、接点出力受信器４を備える点で実施形態１と同様であるが、実施形態１にはない以下に記載の特徴部分がある。実施形態２では、図１に示すように、接点出力受信器４の制御部４０は、接点出力部４９１に対して、警戒操作発信器２が登録されている場合に、上記警戒操作発信器２からの警戒無線信号に基づく接点出力信号の出力を許諾し、接点入力送信器３からの無線信号に基づく接点出力信号の出力を禁止する出力手段を有する。
【００３７】
次に、接点出力受信器４の動作について図６を用いて説明する。先ず、接点出力受信器４（図１参照）の電源スイッチ（図示せず）をオンにして、通常モードにする（Ｓ１）。警戒操作発信器２又は接点衆力送信器３（図１参照）のいずれかの発信器から無線信号を送信する（Ｓ２）。接点出力受信器４は、上記発信器のＩＤが記憶装置４７（図１参照）に記憶されているＩＤであるか否かを判断し（Ｓ３）、登録されているＩＤであれば、発信器の発信器種別コードが警戒操作発信器であるか否かを判断する（Ｓ４）。接点出力受信器４は、発信器種別コードが警戒操作発信器であると判断した場合、接点出力部４９１（図１参照）からセキュリティインターホン１に接点出力信号を出力する（Ｓ６）。これに対して、発信器種別コードが警戒操作発信器でないと判断した場合、接点出力部４９１に警戒操作発信器２が登録されているか否かを判断する（Ｓ５）。接点出力部４９１に警戒操作発信器２が登録されていると判断した場合、通常モードに戻り、接点出力部４９１に警戒操作発信器２が登録されていないと判断した場合、接点出力部４９１からセキュリティインターホン１に接点出力信号を送信する（Ｓ６）。
【００３８】
以上、実施形態２によれば、警戒操作発信器２が登録されている場合では、警戒操作発信器２からの警戒無線信号に基づく接点出力信号のみセキュリティインターホン１に出力することができる。
【００３９】
（実施形態３）
実施形態３は、セキュリティインターホン１、警戒操作発信器２、接点入力送信器３、接点出力受信器４を備える点で実施形態１と同様であるが、実施形態１にはない以下に記載の特徴部分がある。実施形態３では、図７に示すように、接点出力受信器４は、設定スイッチ４５ａを備え、この設定スイッチ４５ａをオンにすると、接点出力部４９１から出力される接点出力信号の信号として、ワンショット出力信号を出力し、設定スイッチ４５ａをオフにすると、ラッチ出力信号を出力する。なお、設定スイッチ４５ａのオンオフと、接点出力信号の信号形式との関係は、上記に限定されるものではなく、設定スイッチ４５ａをオンにすると、ラッチ出力信号を出力し、設定スイッチ４５ａをオフにすると、ラッチ出力信号を出力するようにしてもよい。
【００４０】
次に、実施形態３の防犯システムの動作について一例を説明する。先ず、設定スイッチ４５ａをオンにしたときの動作について図８を用いて説明する。なお、２つの警戒操作発信器２，２ａが登録されている。警戒操作発信器２ａからセット信号としてワンショット出力信号を送信すると、接点出力受信器４はセキュリティインターホン１にワンショット信号の接点出力信号を出力し、セキュリティインターホン１は警戒モードになる（ｔ１）。警戒操作発信器２からセット信号としてワンショット出力信号を送信したときも同様であり、接点出力受信器４はセキュリティインターホン１にワンショット信号の接点出力信号を出力する。ただし、セキュリティインターホン１はすでに警戒モードになっているので、そのまま警戒モードを維持する（ｔ２）。さらに、警戒操作発信器２ａからセット信号を出力しても、セキュリティインターホン１は警戒モードを維持する（ｔ３）。その後、警戒操作発信器２から解除信号としてワンショット出力信号を送信すると、接点出力受信器４はセキュリティインターホン１にワンショット信号の接点出力信号を出力するが、セキュリティインターホン１は、解除信号をセット信号と区別して認識することができないので、警戒モードを維持する（ｔ４）。
【００４１】
これに対して、設定スイッチ４５ａをオフにしたときの動作について図９を用いて説明する。警戒操作発信器２からセット信号としてワンショット出力信号を送信すると、接点出力受信器４はセキュリティインターホン１にラッチ出力の接点出力信号を出力し、セキュリティインターホン１は警戒モードになる（ｔ１）。さらに、警戒操作発信器２からセット信号としてワンショット出力信号を送信しても、接点出力受信器４はセキュリティインターホン１にラッチ出力の接点出力信号を出力したままであり、セキュリティインターホン１は警戒モードを維持する（ｔ２）。その後、警戒操作発信器２から解除信号としてワンショット出力信号を送信すると、接点出力受信器４はセキュリティインターホン１にラッチ出力の接点出力信号を出力し、セキュリティインターホン１は非警戒モードになる（ｔ３）。
【００４２】
以上、実施形態３によれば、接点出力部４９１から出力される接点出力信号の信号形式を、接続しているセキュリティインターホン１の信号形式に適応させることができる。
【００４３】
（実施形態４）
実施形態４は、警戒操作発信器２、接点入力送信器３、接点出力受信器４を備える点で実施形態１と同様であるが、実施形態１にはない以下に記載の特徴部分がある。実施形態４では、図１０に示すように、接点出力受信器４は、防犯端子６０に入力された接点出力信号に基づいて監視の開始又は終了を行う警報ベル（防犯機器）６と接続する。また、上記防犯端子６０と接続する接点出力部４９０と、警報ベル６の防犯機能のセット又は解除を行う情報を含む警戒無線信号を送信する警戒操作発信器２のＩＤが予め記憶されている記憶部４７とを備えている。
【００４４】
制御部４０は、接点出力部４９０に対して、上記比較結果が一致する場合に、上記送信器を警戒操作発信器２として登録し、上記比較結果が一致しない場合に、上記送信器を前記接点入力送信器３として登録する処理を実行する。
【００４５】
また、制御部４０は、警戒操作発信器２が接点出力部４９０に登録されている場合に、セキュリティインターホン１の防犯機能のセットを行う情報を含む警戒無線信号を受信すると、接点入力送信器３からの無線信号に基づく接点出力信号を出力し、上記防犯機能の解除を行う情報を含む警戒無線信号を受信すると、上記無線信号に基づく接点出力信号の出力を禁止する出力手段を有する。
【００４６】
次に、実施形態４の防犯システムの動作について図１２を用いて説明する。先ず、接点出力受信器４（図１０参照）の電源スイッチ（図示せず）をオンにし（Ｓ１）、警戒モードにする（Ｓ２）。発信器から無線信号を送信する（Ｓ３）。発信器ＩＤが登録発信器ＩＤであるか否かを判断する（Ｓ４）。上記発信器ＩＤが登録発信器ＩＤでなければ、動作を中断し、元の状態に戻る（Ｓ２）。発信器ＩＤが登録発信器ＩＤであれば、次に発信器種別コードが警戒操作発信器であるか否かを判断する（Ｓ５）。警戒操作発信器でなければ、上記発信器を接点入力送信器３と判断し、接点出力部４９０から警報ベル６に接点出力信号を送信し（Ｓ６）、元の警戒モードに戻る（Ｓ２）。これに対して、警戒操作発信器２と判断すれば、その無線信号が、警戒セット信号であるのか、警戒解除信号であるのかを判断する（Ｓ７）。警戒セット信号であれば、そのまま警戒モードを維持する（Ｓ２）。警戒解除信号であれば、非警戒モードに切り替える（Ｓ８）。
【００４７】
上記非警戒モードのときに、発信器から無線信号を送信する（Ｓ９）。警戒モードのときと同様に、発信器ＩＤが登録発信器ＩＤであるか否かを判断する（Ｓ１０）。上記発信器ＩＤが登録発信器ＩＤでなければ、動作を中断し、元の状態に戻る（Ｓ８）。発信器ＩＤが登録発信器ＩＤであれば、次に発信器種別コードが警戒操作発信器であるか否かを判断する（Ｓ１１）。警戒操作発信器でなければ、元の警戒モードに戻る（Ｓ８）。これに対して、警戒操作発信器であれば、その無線信号が、警戒セット信号であるのか、警戒解除信号であるのかを判断する（Ｓ１２）。警戒解除信号であれば、そのまま非警戒モードを維持する（Ｓ８）。警戒セット信号であれば、警戒モードに切り替える（Ｓ２）。
【００４８】
図１１には、動作タイミングを表している。警戒操作発信器２のセット釦３０を押し、警戒セット信号を接点出力受信器４に送信する（ｔ１）。その後、窓５（図１参照）が開けられ、接点入力送信器３から窓開信号を接点出力受信器４に送信する（ｔ２）。接点出力受信器４は、接点出力部４９０から警報ベル６に接点出力信号を送信し、警報ベル６を鳴らす（ｔ３）。窓５が閉められ、接点入力送信器３から窓閉信号を接点出力受信器４に送信すると（ｔ４）、接点出力受信器４は、接点出力信号の出力を中止し、それにより警報ベル６を止める（ｔ５）。
【００４９】
次に、警戒操作発信器２の解除釦３１を押し、警戒解除信号を接点出力受信器４に送信する（ｔ６）。その後、窓５が開けられ、接点入力送信器３から窓開信号を接点出力受信器４に送信しても、接点出力受信器４は、接点出力部４９０から警報ベル６に接点出力信号を送信しない（ｔ７）。窓５が閉められ、接点入力送信器３から窓閉信号を接点出力受信器４に送信したときも同様に、接点出力受信器４は、接点出力部４９０から警報ベル６に接点出力信号を送信しない（ｔ８）。
【００５０】
これにより、接点出力受信器４が警戒モードと非警戒モードとを有し、接点出力信号の出力を制御することができる。
【００５１】
以上、実施形態４によれば、接点出力部４９０に対して、警戒操作発信器２と接点入力送信器３を区別して登録することができるので、接点入力送信器３を警戒操作発信器２と間違って登録することを防止することができる。また、警報ベル６にセット・解除端子がない場合であっても、防犯機能のセット又は解除を行うことができる。
【００５２】
（実施形態５）
実施形態５は、警戒操作発信器２、接点入力送信器３、接点出力受信器４、警報ベル６を備える点で実施形態４と同様であるが、実施形態４にはない以下に記載の特徴部分がある。実施形態５では、図１３に示すように、接点出力受信器４は、警報ベル６の防犯端子６０と接続する接点出力部４９０の他に、自動通報機６ａの防犯端子６０ａと接続する接点出力部４９１を備え、接点出力部４９０，４９１毎に、比較結果が一致する場合に、送信器を警戒操作発信器２として登録し、比較結果が一致しない場合に、送信器を接点入力送信器３として登録する処理を行う。
【００５３】
次に、実施形態５の防犯システムの動作について図１４を用いて説明する。先ず、接点出力受信器４の電源スイッチ（図示せず）をオンにし（Ｓ１）、警戒モードにする（Ｓ２）。発信器から無線信号を送信する（Ｓ３）。発信器ＩＤが登録発信器ＩＤであるか否かを判断する（Ｓ４）。上記発信器ＩＤが登録発信器ＩＤでなければ、動作を中断し、元の状態に戻る（Ｓ２）。発信器ＩＤが登録発信器ＩＤであれば、次に発信器種別コードが警戒操作発信器であるか否かを判断する（Ｓ５）。警戒操作発信器でなければ、上記発信器を接点入力送信器３と判断し、この接点入力送信器３が登録されている接点出力部４６１から信号を送信し（Ｓ６）、元の警戒モードに戻る（Ｓ２）。これに対して、警戒操作発信器であれば、その無線信号が、警戒セット信号であるのか、警戒解除信号であるのかを判断する（Ｓ７）。警戒セット信号であれば、そのまま警戒モードを維持する（Ｓ２）。警戒解除信号であれば、非警戒モードに切り替える（Ｓ８）。
【００５４】
上記非警戒モードのときに、発信器から無線信号を送信する（Ｓ９）。警戒モードのときと同様に、発信器ＩＤが登録発信器ＩＤであるか否かを判断する（Ｓ１０）。上記発信器ＩＤが登録発信器ＩＤでなければ、動作を中断し、元の状態に戻る（Ｓ８）。発信器ＩＤが登録発信器ＩＤであれば、次に発信器種別コードが警戒操作発信器であるか否かを判断する（Ｓ１１）。警戒操作発信器でなければ、自動通報機６ａの防犯端子６０ａと接続している接点出力部４９１のみ信号を送信し（Ｓ１３，Ｓ１４）、元の警戒モードに戻る（Ｓ８）。これに対して、警戒操作発信器であれば、その無線信号が、警戒セット信号であるのか、警戒解除信号であるのかを判断する（Ｓ１２）。警戒解除信号であれば、そのまま非警戒モードを維持する（Ｓ８）。警戒セット信号であれば、警戒モードに切り替える（Ｓ２）。
【００５５】
これにより、接点出力部４９０のみに警戒モードと非警戒モードとを設定することができる。
【００５６】
以上、実施形態５によれば、接点出力部４９０，４９１のそれぞれに接続する警報ベル６、自動通報器６ａに対して、防犯機能のセット又は解除を行うことができる。
【００５７】
（実施形態６）
実施形態６は、警戒操作発信器２、接点入力送信器３、接点出力受信器４、警報ベル５を備える点で実施形態４と同様であるが、実施形態４にはない以下に記載の特徴部分がある。実施形態６では、図１５に示すように、接点出力受信器４は、屋外表示器７の防犯端子７０と接続し、警報ベル６の防犯機能のセット又は解除の設定状態を報知する報知手段を有する。
【００５８】
次に、実施形態６の防犯システムの動作について図１６を用いて説明する。先ず、警戒操作発信器２から警戒セット信号を受信すると、警戒モードになり、接点出力部４６１から屋外表示器７に接点出力信号を送信し、屋外表示器７に警戒モードであることを表示する（ｔ１）。この警戒モードのときに、窓５（図１参照）が開き（ｔ２）、接点入力送信器３から窓開信号を受信すると、接点出力部４９０から警報ベル６に接点出力信号を送信し、警報ベルが鳴る（ｔ３）。窓５が閉められ（ｔ４）、接点入力送信器３から窓閉信号を受信すると、接点出力部４９０から警報ベル６に接点出力信号を送信し、警報ベルを止める（ｔ５）。
【００５９】
上記警報モードの状態で、警戒操作発信器２から警戒解除信号を受信すると、非警戒モードになり、接点出力部４６１から屋外表示器７に接点出力信号を送信し、屋外表示器７に非警戒モードであることを表示する（ｔ６）。この非警戒モードのときに、窓５が開き、接点入力送信器３から窓開信号を受信しても、接点出力部４９０から信号を送信しない（ｔ７）。また、窓５が閉められ、接点入力送信器３から窓閉信号を受信しても、接点出力部４９０から信号を送信しない（ｔ８）。
【００６０】
以上、実施形態６によれば、警報ベル６に対する防犯機能のセット又は解除の設定状態を屋外表示器７にて容易に知ることができる。
【００６１】
なお、実施形態６の変形例として、接点出力受信器は、警報ベルの防犯機能のセット又は解除の設定状態を報知する例えばＬＥＤ、スピーカーなどの報知手段を、内蔵して設けてもよい。このような構成にしても、警報ベルに対する防犯機能のセット又は解除の設定状態を容易に知ることができる。
【図面の簡単な説明】
【００６２】
【図１】本発明による実施形態１の防犯システムの構成図である。
【図２】同上の発信器のブロック図である。
【図３】同上の送信データの構成図である。
【図４】同上の接点出力受信器のブロック図である。
【図５】同上において、発信器を登録するときの動作フロー図である。
【図６】同上において、発信器から信号を受信したときの動作フロー図である。
【図７】本発明による実施形態３の防犯システムの構成図である。
【図８】同上において、設定スイッチをオンにしたときの動作タイミングを表す図である。
【図９】同上において、設定スイッチをオフにしたときの動作タイミングを表す図である。
【図１０】本発明による実施形態４の防犯システムの構成図である。
【図１１】同上の動作タイミングを表す図である。
【図１２】同上において、発信器から信号を受信したときの動作フロー図である。
【図１３】本発明による実施形態５の防犯システムの構成図である。
【図１４】同上において、発信器から信号を受信したときの動作フロー図である。
【図１５】本発明による実施形態６の防犯システムの構成図である。
【図１６】同上の動作タイミングを表す図である。
【図１７】従来の防犯システムの構成図である。
【図１８】同上の動作タイミングを表す図である。
【符号の説明】
【００６３】
１  セキュリティインターホン
２  警戒操作発信器
３  接点入力送信器
４  接点出力受信器
４５  設定スイッチ
４９０〜４９３  接点出力部
【図１】
2006031555.tif 000003
【図２】
2006031555.tif 000004
【図３】
2006031555.tif 000005
【図４】
2006031555.tif 000006
【図５】
2006031555.tif 000007
【図６】
2006031555.tif 000008
【図７】
2006031555.tif 000009
【図８】
2006031555.tif 000010
【図９】
2006031555.tif 000011
【図１０】
2006031555.tif 000012
【図１１】
2006031555.tif 000013
【図１２】
2006031555.tif 000014
【図１３】
2006031555.tif 000015
【図１４】
2006031555.tif 000016
【図１５】
2006031555.tif 000017
【図１６】
2006031555.tif 000018
【図１７】
2006031555.tif 000019
【図１８】
2006031555.tif 000020